(57)【要約】      （修正有）【課題】本発明は手毟りからの解放、品種制約を無くする事、人力でも操作が可能で手軽な装置を提供する。【解決手段】毟り機能を実現する下支えとなる技術・機能としては、給紙作業台面を、下型上面を利用する事に有り、その給紙全面の平面度を得るために、当該型の隙間空間にピンを樹立し埋める。加える事、作業台面は引き出し・上下作動機能を備え持たせ作業性、安全を向上させる。【選択図】図１
2019107760.tif 000002
【特許請求の範囲】
【請求項１】
多面付け裁断切れ状態の板紙または段ボール紙または樹脂フィルム（以下抜き本紙という）の裁断切れ目に沿って、型を利用して一度に分離（以下毟りという）することを特徴とする装置。
また、作業動力は人力で行う事を可能とする事を特徴とする。
【請求項２】
毟り作業は、抜き本紙の切れ目形状に沿って分離作成された型を上下（以下上型、下型という）に配置し、その間に抜き本紙を枚様または枚様束にして挿入し両型で押し切るように毟る事を特徴とする。
【請求項３】
抜き本紙の供給作業台面は、下型の上面を活用し、上型形状と類似の空間部には、抜き本紙の平面状態を保つため、その面と合った平行な頭部面を有する凸棒（例えばピン）を樹立する。
その面合わせ用の凸棒は伸縮と一時固定機能を有している事を特徴とする。
【発明の詳細な説明】
【発明の詳細な説明】
【産業上の利用分野】
【０００１】  本発明は、板紙または段ボール紙または樹脂フィルムを用いた裁断（例：箱）の製造工程における、毟り作業を行う装置に関するものである。
【従来の毟り作業及び技術】
【０００２】  従来の毟り作業及び技術は人力が殆どで、一部量産品向けに分離形状にピンを樹立して毟る方式、列状で割るように毟る方式が一般的である。
【０００３】  それらは、人力による毟りを除き、形状（以下品種という）、または多面配列方法により利用可・不可を有し、また作動力に外部動力源を利用する事が一般的である。
【発明が解決しようとする課題】
【０００４】  上記説明でも明らかなように殆どが人力による手毟り作業で作業環境も余り良くなく、困難な作業で有る事、上記公知の毟り機は品種、または配列方法により可・不可の制約が有る事、動力源を必要とする事、という問題を抱えている。
【課題を解決するための手段】
【０００５】  本発明は、手毟りから解放し、品種の制約が無く、人力でも可能な他動力源を必要としない軽便で使い勝手が良い毟り機を提供することで課題を解決する。
【０００６】  上記課題を解決するための手段として本発明は
手毟りから機械化に置換し、品種制約を無くするため抜き本紙の切れ目形状に類似した形状をもつ型を使用する。
動力源を人力で行う事を可能とする。
【０００７】  使い勝手向上に、抜き本紙の供給作業台面は下型上面を利用し、上型に相当する空間は伸縮且つ一時固定機能を備えた、凸棒（例：ピン）を樹立して必要部位を埋める。
【０００８】  作業性向上のため、給紙作業台面は引き出し・上下作動機能を備え持たせる。
事で解決する。
【発明の効果】
【０００８】  機械化で作業環境改善が図れる、品種の制約条件から解放され利用範囲の拡大が図れる。
他動力源無しでも可能な事から、費用削減が図れ、装置移動の容易性も加わり適正環境への設置が可能となり場所の有効利用度が向上する。
【０００９】  容易な手（足）動操作の装置で有る事から、特殊技能を殆ど必要とせず、人的展開力が拡大する。
【００１０】  作業台面の前後上下動作が可能な事から作業姿勢が改善され安全面作業性面が向上する。
上述の効果が図れる。
【実施例】
【００１１】  本発明による加工方法の具体的実施例の基本部位を、図―１に示す。
【符号の説明】
【００１３】▲１▼上型（雌型）
▲２▼抜き本紙
▲３▼下型
▲４▼下型取り付け（ピン孔付き）板
▲５▼ピン装着保持板
▲６▼ピン（伸縮且つ一時固定機能付き）
【装置の説明】
【００１４】  図１において、
▲１▼を上下動作し、（毟り）抜き本紙（束厚さ）を考慮した、任意作業点に固定する。
▲２▼抜き本紙束を下型またはピン頭部面の表面に挿入搭載（給紙）する。
▲３▼▲４▼▲５▼▲６▼が同期して上型下面に接触停止、さらに下型のみが上昇し、抜き本紙の切れ目を境にした部位を毟り作業完了位置まで上型の中へ押し出す（入りこむ）。
上型を元の位置へ戻す。
押し出された部位（通称商品という）が下型の上面に現れる（残る）
商品を任意場所に移動する
下型を元の位置まで下降させる。
ピン頭部面上に残材（通称カスという）が残る。
カスを任意場所に移動する
作業工程終了（一周期）
また、▲３▼から▲６▼は同期または連動で前後、上下に作動させる事が出来る。
【図１】
2019107760.tif 000003
【手続補正書】
【提出日】平成30年5月21日(2018.5.21)
【手続補正１】
【補正対象書類名】明細書
【補正対象項目名】全文
【補正方法】変更
【補正の内容】
【発明の詳細な説明】
【産業上の利用分野】
【０００１】  本発明は、板紙または段ボール紙または樹脂フィルムを用いた裁断（例：箱）の製造工程における、毟り作業を行う装置に関するものである。
【背景技術】
【０００２】  従来の毟り作業及び技術は人力が殆どで、一部量産品向けに分離形状にピンを樹立して毟る方式、列状で割るように毟る方式が一般的である。【０００３】  それらは、人力による毟りを除き、形状（以下品種という）、または多面配列方法により利用可・不可を有し、また作動力に外部動力源を利用する事が一般的である。
【発明が解決しようとする課題】
【０００４】  上記説明でも明らかなように殆どが人力による手毟り作業で作業環境も余り良くなく、困難な作業で有る事、上記公知の毟り機は品種、または配列方法により可・不可の制約が有る事、動力源を必要とする事、という問題を抱えている。
【課題を解決するための手段】
【０００５】  本発明は、手毟りから解放し、品種の制約が無く、人力でも可能な他動力源を必要としない軽便で使い勝手が良い毟り機を提供することで課題を解決する。
【０００６】  上記課題を解決するための手段として本発明は
手毟りから機械化に置換し、品種制約を無くするため抜き本紙の切れ目形状に類似した形状をもつ型を使用する。
動力源を人力で行う事を可能とする。
【０００７】  使い勝手向上に、抜き本紙の供給作業台面は下型上面を利用し、上型に相当する空間は伸縮且つ一時固定機能を備えた、凸棒（例：ピン）を樹立して必要部位を埋める。
【０００８】  作業性向上のため、給紙作業台面は引き出し・上下作動機能を備え持たせる。
事で解決する。
【発明の効果】
【０００９】  機械化で作業環境改善が図れる、品種の制約条件から解放され利用範囲の拡大が図れる。
他動力源無しでも可能な事から、費用削減が図れ、装置移動の容易性も加わり適正環境への設置が可能となり場所の有効利用度が向上する。
【００１０】  容易な手（足）動操作の装置で有る事から、特殊技能を殆ど必要とせず、人的展開力が拡大する。
【００１１】  作業台面の前後上下動作が可能な事から作業姿勢が改善され安全面作業性面が向上する。
上述の効果が図れる。
【実施例】
【００１２】  本発明による加工方法の基本部位を、図１に示す。
【図面の簡単な説明】
【００１３】
【図１】加工方法を表す図である。
【符号の説明】
【００１４】１  上型（雌型）
２  抜き本紙
３  下型
４  下型取り付け（ピン孔付き）板
５  ピン装着保持板
６  ピン（伸縮且つ一時固定機能付き）
【装置の説明】
【００１５】  図１において、
１、を上下動作し、（毟り）抜き本紙（束厚さ）を考慮した、任意作業点に固定する。
２、抜き本紙束を下型またはピン頭部面の表面に挿入搭載（給紙）する。
３、４、５、６、が同期して上型下面に接触停止、さらに下型のみが上昇し、抜き本紙の切れ目を境にした部位を毟り作業完了位置まで上型の中へ押し出す（入りこむ）。
上型を元の位置へ戻す。
押し出された部位（通称商品という）が下型の上面に現れる（残る）
商品を任意場所に移動する
下型を元の位置まで下降させる。
ピン頭部面上に残材（通称カスという）が残る。
カスを任意場所に移動する
作業工程終了（一周期）
また、３、から６、は同期または連動で前後、上下に作動させる事が出来る。
【手続補正２】
【補正対象書類名】図面
【補正対象項目名】全図
【補正方法】変更
【補正の内容】
【図１】
2019107760.tif 000004